(57)【要約】【課題】シートをスムーズに用紙搬送路と給紙搬送路の合流部へ搬送することを課題とする。【解決手段】給紙カセット２４から用紙Ｐが給紙されると、搬送ローラ対４４を構成するピンチローラ４２が移動して、ピンチローラ４２と駆動ローラ４０のニップ部が、用紙搬送路３６を搬送されてくる用紙Ｐの突入方向へ変更される。また、用紙Ｐが用紙搬送路３８を搬送されるとき、ピンチローラ４２が移動して、ピンチローラ４２と駆動ローラ４０のニップ部が、用紙搬送路３８を搬送されてくる用紙Ｐの突入方向へ変更される。このように、搬送されてくる用紙Ｐの突入方向に対応して、ピンチローラ４２と駆動ローラ４０のニップ部の位置を変化させることで、常にピンチローラ４２と駆動ローラ４０のニップ部に、用紙Ｐをまっすぐに突入させることができる。【選択図】図５
2008189457.tif 000002
【特許請求の範囲】
【請求項１】
第１シート搬送路と第２シート搬送路の合流部に設けられ、シートを挟持搬送するローラ対と、
前記ローラ対のいずれか一方のローラを移動させ、該ローラ対のニップ部を、前記第１シート搬送路から搬送されてくるシートの突入方向、又は、前記第２シート搬送路から搬送されてくるシートの突入方向へ変更するローラ移動手段と、
を有して構成されていることを特徴とする給紙装置。
【請求項２】
前記ローラ対のいずれか一方のローラを他方のローラから離間させるローラ離間手段を有していることを特徴とする請求項１に記載の給紙装置。
【請求項３】
シートが積載されるカセットが複数配置され、前記ローラ対が各カセットに対応して設けられているとき、前記第１シート搬送路は前記カセットと前記ローラ対の間に位置し、前記第２シート搬送路は前記ローラ対間に位置していることを特徴とする請求項１又は請求項２に記載の給紙装置。
【請求項４】
前記ローラ対は、駆動源から駆動力が付与される駆動ローラと、前記駆動ローラの駆動によって従動回転する従動ローラとで構成され、前記ローラ移動手段は前記従動ローラを移動させ、前記ローラ離間手段は前記従動ローラを前記駆動ローラから離間させることを特徴とする請求項２又は請求項３に記載の給紙装置。
【請求項５】
前記ローラ離間手段は、装置本体に開閉可能に設けられたカバーであり、前記従動ローラは、前記カバーに支持されていることを特徴とする請求項４に記載の給紙装置。
【請求項６】
前記ローラ移動手段は、前記従動ローラを支持する支持板と、前記支持板を前記カバーに移動可能に支持する支持部材と、前記支持板を押引して前記従動ローラを前記駆動ローラの外周に沿って移動させるソレノイドと、を有して構成されていることを特徴とする請求項５に記載の給紙装置。
【請求項７】
前記支持板は、複数の従動ローラを支持することを特徴とする請求項６に記載の給紙装置。
【請求項８】
前記ローラ対のニップ部は、シートの搬送が開始されると、前記第１シート搬送路から搬送されてくるシートの突入方向へ移動し、該ローラ対のシート搬送方向下流側に設けられた第１センサでシートの先端が検知されると、前記第２シート搬送路から搬送されてくるシートの突入方向へ移動する構成とされていることを特徴とする請求項１〜請求項７のいずれか１項に記載の給紙装置。
【請求項９】
前記ローラ対のニップ部は、前記第１シート搬送路と前記ローラ対の間に設けられた第２センサでシートの先端が検知されると、前記第１シート搬送路から搬送されてくるシートの突入方向へ移動し、該ローラ対のシート搬送方向下流側に設けられた第１センサでシートの先端が検知されると、前記第２シート搬送路から搬送されてくるシートの突入方向へ移動することを特徴とする請求項１〜請求項７のいずれか１項に記載の給紙装置。
【請求項１０】
請求項１〜請求項９のいずれか１項に記載された給紙装置を備え、前記給紙装置から給紙された記録用紙を画像形成部に搬送し、前記記録用紙に画像を形成することを特徴とする画像形成装置。
【発明の詳細な説明】
【技術分野】
【０００１】
本発明は、複写機、プリンタ等の画像形成装置に用いられる給紙装置及び、この給紙装置を備えた画像形成装置に関する。 
【背景技術】
【０００２】
プリンタや複写機等の画像形成装置には、手差しトレイだけでなく、画像形成装置内に収納された給紙カセットに厚紙をセットして使用できることも要求されている。
【０００３】
給紙カセットにセットした厚紙を、画像形成部まで搬送する過程において、略水平に装填された給紙カセットから、上下に延びる用紙搬送路に合流する給紙搬送路までの距離が短いと、給紙搬送路の曲率半径が小さくなり、コシの強い厚紙は、給紙搬送路の曲率半径に沿って柔軟に湾曲できない。これにより、厚紙は搬送経路内で停滞し、ジャムを発生させてしまう。
【０００４】
そこで、特許文献１のように、給紙搬送路の曲率を厚紙の柔軟性に対応させて大きくすることで、厚紙の搬送を可能にしたものがある。
【０００５】
また、特許文献２のように、用紙搬送路と給紙搬送路の合流部に設けられた搬送ローラ対を構成する駆動ローラと従動ローラのニップ角度を、使用する用紙の種類に合わせて可変させるものがある。
【特許文献１】特開２００５−３０６６１２号公報
【特許文献２】特開２００２−３２６７３５号公報
【発明の開示】
【発明が解決しようとする課題】
【０００６】
本発明は上記事実を考慮し、シートをスムーズに用紙搬送路と給紙搬送路の合流部へ搬送することを課題とする。
【課題を解決するための手段】
【０００７】
請求項１に記載の発明は、第１シート搬送路と第２シート搬送路の合流部に設けられ、シートを挟持搬送するローラ対と、前記ローラ対のいずれか一方のローラを移動させ、該ローラ対のニップ部を、前記第１シート搬送路から搬送されてくるシートの突入方向、又は、前記第２シート搬送路から搬送されてくるシートの突入方向へ変更するローラ移動手段と、を有して構成されていることを特徴としている。
【０００８】
請求項２に記載の発明は、前記ローラ対のいずれか一方のローラを他方のローラから離間させるローラ離間手段を有していることを特徴としている。
【０００９】
請求項３に記載の発明は、シートが積載されるカセットが複数配置され、前記ローラ対が各カセットに対応して設けられているとき、前記第１シート搬送路は前記カセットと前記ローラ対の間に位置し、前記第２シート搬送路は前記ローラ対間に位置していることを特徴としている。
【００１０】
請求項４に記載の発明は、前記ローラ対は、駆動源から駆動力が付与される駆動ローラと、前記駆動ローラの駆動によって従動回転する従動ローラとで構成され、前記ローラ移動手段は前記従動ローラを移動させ、前記ローラ離間手段は前記従動ローラを前記駆動ローラから離間させることを特徴としている。
【００１１】
請求項５に記載の発明は、前記ローラ離間手段は、装置本体に開閉可能に設けられたカバーであり、前記従動ローラは、前記カバーに支持されていることを特徴としている。
【００１２】
請求項６に記載の発明は、前記ローラ移動手段は、前記従動ローラを支持する支持板と、前記支持板を前記カバーに移動可能に支持する支持部材と、前記支持板を押引して前記従動ローラを前記駆動ローラの外周に沿って移動させるソレノイドと、を有して構成されていることを特徴としている。
【００１３】
請求項７に記載の発明は、前記支持板は、複数の従動ローラを支持することを特徴としている。
【００１４】
請求項８に記載の発明は、前記ローラ対のニップ部は、シートの搬送が開始されると、前記第１シート搬送路から搬送されてくるシートの突入方向へ移動し、該ローラ対のシート搬送方向下流側に設けられた第１センサでシートの先端が検知されると、前記第２シート搬送路から搬送されてくるシートの突入方向へ移動する構成とされていることを特徴としている。
【００１５】
請求項９に記載の発明は、前記ローラ対のニップ部は、前記第１シート搬送路と前記ローラ対の間に設けられた第２センサでシートの先端が検知されると、前記第１シート搬送路から搬送されてくるシートの突入方向へ移動し、該ローラ対のシート搬送方向下流側に設けられた第１センサでシートの先端が検知されると、前記第２シート搬送路から搬送されてくるシートの突入方向へ移動することを特徴としている。
【００１６】
請求項１０に記載の発明は、請求項１〜請求項９のいずれか１項に記載された給紙装置を備え、前記給紙装置から給紙された記録用紙を画像形成部に搬送し、前記記録用紙に画像を形成することを特徴としている。
【発明の効果】
【００１７】
請求項１に記載の発明によれば、第１シート搬送路から搬送されてくるシートの突入方向、又、第２シート搬送路から搬送されてくるシートの突入方向へ、ローラ対のニップ部を変化させるので、常にローラ対のニップ部に、シートがまっすぐに突入される。これにより、本構成を備えていない場合と比較して、ローラ対によってシートはスムーズに挟持搬送される。
【００１８】
請求項２に記載の発明によれば、ローラ対のニップ部でシートがジャムしたときは、ローラ離間手段により、ローラ対の一方のローラを、他方のローラから離間させ、ローラ対のニップを解除した状態で、シートを除去すればよいので、本構成を備えていない場合と比較して、ジャム処理がスムーズに行える。
【００１９】
請求項３に記載の発明によれば、本構成を備えていない場合と比較して、常にローラ対のニップ部にシートをまっすぐに突入させることができるので、カセットの給紙ローラの搬送力をアップさせたり、給紙ローラの負荷トルクを増大させる必要がない。
【００２０】
請求項４に記載の発明によれば、ローラ移動手段及びローラ離間手段は、従動ローラを移動させるので、駆動ローラを移動させる構造を備えた場合と比較して、装置全体の構成が複雑とならない。
【００２１】
請求項５に記載の発明によれば、本構成を備えていない場合と比較して、シートがジャムしたとき、カバーを開放するだけで、従動ローラが駆動ローラから離間するので、ジャム処理が容易に行える。
【００２２】
請求項６に記載の発明によれば、本構成を備えていることにより、従動ローラと駆動ローラのニップ部を、シートの突入方向に移動させることができる。
【００２３】
請求項７に記載の発明によれば、ソレノイドによって支持板を移動させると、複数の従動ローラが同時に移動される。このように、それぞれの従動ローラを、個々に移動させる機構とした場合と比較して、部品点数が少なくなり、装置の大型化やコストアップを押さえることができる。
【００２４】
請求項８に記載の発明によれば、カセットからシートが搬送されると、ローラ対のニップ部が、第１シート搬送路から搬送されてくるシートの突入方向へ移動し、第１センサによってシートの先端が検知されると、ローラ対のニップ部は、第２シート搬送路から搬送されてくるシートの突入方向へ移動するので、シートの高速送り出しが可能となる。
【００２５】
請求項９に記載の発明によれば、第２センサによってシートの先端が検知されると、ローラ対のニップ部が、第１シート搬送路から搬送されてくるシートの突入方向へ移動し、第１センサによってシートの先端が検知されると、ローラ対のニップ部は、第２シート搬送路から搬送されてくるシートの突入方向へ移動するので、シートの高速送り出しが可能となる。
【００２６】
請求項１０に記載の発明によれば、本構成の給紙装置を備えていない画像形成装置と比較して、シートをスムーズに搬送することができる。
【発明を実施するための最良の形態】
【００２７】
本発明の実施形態に係る給紙装置２０について説明する前に、この給紙装置２０備えた画像形成装置１０の概要について説明する。
【００２８】
図１に示すように、画像形成装置１０は、電子写真方式を用いた複写機であり、画像形成装置本体１２の上面部には、原稿トレイに載置された原稿を画像読取位置に自動で送り込み、画像読取後に自動で排出する自動原稿送り装置１４が設けられている。
【００２９】
画像形成装置１０は、自動原稿送り装置１４から送り込まれた原稿の画像を読み取って画像信号に変換する原稿読み取り部１６を備えており、原稿読み取り部１６からの画像信号に基づいて、原稿読み取り部１６の下方に設けられた画像形成部１８で、用紙（シート）に画像（トナー像）が形成される。
【００３０】
画像形成部１８の下方には、給紙装置２０が設けられており、給紙装置２０から画像形成部１８へ用紙が供給されるようになっている。画像形成部１８と給紙装置２０の間には、用紙整合装置２２が設けられており、給紙装置２０から給紙された用紙は、用紙整合装置２２によって搬送方向に対する曲がりが補正され、画像形成部１８へ送られるようになっている。
【００３１】
次に、給紙装置２０について説明する。
【００３２】
図２に示すように、給紙装置２０は、用紙Ｐが積載された給紙カセット２４を備えている。給紙カセット２４は、上下方向に複数段（本実施形態では３段）設けられており、各給紙カセット２４の用紙搬送方向下流側（以下、「下流側」とする）には、ローラユニット２６が設けられている。
【００３３】
ローラユニット２６は、ナジャーローラ２８、フィードローラ３２及びリタードローラ３４を有している。また、ローラユニット２６には、図示は省略するが、ナジャーローラ２８、フィードローラ３２及びリタードローラ３４を回転駆動する駆動源としてのモータが備えられおり、モータの駆動は制御部３０で制御され、回転力伝達機構によって各ローラにモータの駆動が伝達されるようになっている。
【００３４】
ナジャーローラ２８は、図示しない支持アームを介して揺動自在とされ、給紙カセット２４に積載された用紙Ｐの最上面に接触して、給紙カセット２４から用紙Ｐを送り出す。ナジャーローラ２８の回転が開始されると、制御部３０によって後述するソレノイド５６へ通電されるようになっている。
【００３５】
このナジャーローラ２８の下流側には、フィードローラ３２が配設されている。ナジャーローラ２８によって送り出された用紙Ｐは、このフィードローラ３２で捌かれて、下流側へ搬送される。
【００３６】
フィードローラ３２の下方には、リタードローラ３４が配設されている。このリタードローラ３４でフィードローラ３２を押圧し、リタードローラ３４とフィードローラ３２のニップ部に送り込まれた用紙Ｐを分離して、後述する下流側の用紙搬送路３６に搬送する。
【００３７】
フィードローラ３２とリタードローラ３４のニップ部の斜め上方には、駆動ローラ４０と、この駆動ローラ４０に従動して回転する従動ローラとしてのピンチローラ４２とで構成された搬送ローラ対４４が配置されている。この搬送ローラ対４４のニップ部と、フィードローラ３２とリタードローラ３４のニップ部の間には、用紙搬送路３６が設けられている。
【００３８】
用紙搬送路３６は、湾曲したガイド部材で構成されており、フィードローラ３２とリタードローラ３４によって送られた用紙Ｐは、用紙搬送路３６に沿って湾曲されながら搬送ローラ対４４のニップ部に送られる。
【００３９】
用紙搬送路３６及び搬送ローラ対４４は、各給紙カセット２４に対応して設けられており、搬送ローラ対４４の間には、上下方向に延びる用紙搬送路３８が設けられている。つまり、搬送ローラ対４４は、用紙搬送路３６と用紙搬送路３８の合流部に設けられており、用紙搬送路３６を搬送された用紙Ｐは、搬送ローラ対４４のニップ部を通過して、用紙搬送路３８に送られる。
【００４０】
ところで、搬送ローラ対４４は、前述したように、駆動ローラ４０とピンチローラ４２とで構成されている。駆動ローラ４０は、図示は省略するが、画像形成装置本体１２（図１参照）に回動可能に支持されており、画像形成装置本体１２内に設けられた駆動源から、駆動力が供給される。
【００４１】
一方、図３に示すように、ピンチローラ４２は、画像形成装置本体１２に開閉可能に取り付けられたローラ離間手段としてのカバー４６内に支持されている。そして、カバー４６を閉じた状態で、ピンチローラ４２は駆動ローラ４０に当接し、駆動ローラ４０の駆動によって従動回転する。また、カバー４６を開放すると、ピンチローラ４２はカバー４６の開放方向に移動して、駆動ローラ４０との当接が解除されるようになっている。これにより、用紙搬送路３８（図２参照）を搬送中に用紙Ｐがジャムしたとき、カバー４６を開放してジャムした用紙Ｐが除去できるようになっている。
【００４２】
詳細には、図４に示すように、カバー４６の幅方向の両側壁４６Ａには、ローラ移動手段としての長尺状の支持板４８が配設されている。支持板４８の長手方向の両端部には、長孔５０が形成されており、側壁４６Ａの上下方向両端から突設された円柱状の支持ピン５２が、この長孔５０に係合している。これにより、支持板４８は、長孔５０に沿って移動可能とされている。
【００４３】
支持板４８の長手方向の下端部には、ピン５４が突設されており、このピン５４には、ソレノイド５６の可動鉄心５６Ａの先端が連結されている。ソレノイド５６は、カバー４６の底壁４６Ｂに回転自在に取り付けられており、制御部３０によってソレノイド５６に通電されると、可動鉄心５６Ａが突出して、支持板４８を長孔５０に沿って略上方向に移動させる。
【００４４】
長孔５０は、斜め方向に湾曲した形状とされ、図５（Ａ）の状態から支持板４８を下方へ向かって引っ張ると、支持板４８は湾曲した長孔５０に沿って斜め下に移動して、用紙搬送路３８に近づく。これにより、支持板４８に支持された後述するピンチローラ４２は、駆動ローラ４０の外周に沿って、斜め下（反時計回り）に移動する。
【００４５】
ところで、図４に示すように、支持板４８には、前述した３つのピンチローラ４２の軸４２Ａが、軸受部材６０を介して回転可能に支持されている。これにより、支持板４８が長孔５０に沿って斜め方向に移動すると、３つのピンチローラ４２は、同時に駆動ローラ４０の軸４０Ａを中心として、駆動ローラ４０の外周に沿って移動する構成となっている。つまり、ピンチローラ４２は、駆動ローラ４０とのニップが解除されない状態で移動する。
【００４６】
なお、支持板４８の板厚方向は、カバー４６に設けられた略コ字状のガイドブロック５８に挟まれており、ソレノイド５６によって略上下方向に移動する際に、支持板４８は板厚方向に移動することがないので、ピンチローラ４２は軸方向に移動されない構成となっている。
【００４７】
また、図２に示すように、用紙搬送路３８には、搬送ローラ対４４が設けられた位置よりも下流側に、センサ６２が設けられている。センサ６２は制御部３０に接続されており、センサ６２によって用紙Ｐの先端が検知されると、制御部３０によってソレノイド５６へ通電されるようになっている。
【００４８】
次に、ピンチローラ４２を移動させるタイミングについて説明する。
【００４９】
給紙カセット２４から用紙Ｐが給紙される前の状態（待機状態）では、ソレノイド５６は通電された状態にあり、可動鉄心５６Ａが突出して、支持板４８は上方向へ移動されている。これにより、図５（Ａ）に示すように、ピンチローラ４２の軸４２Ａは、駆動ローラ４０の軸４０Ａと同じ高さに位置し、ピンチローラ４２と駆動ローラ４０のニップ部は、用紙搬送路３８側に位置する。つまり、ピンチローラ４２と駆動ローラ４０のニップ部は、用紙搬送路３８を搬送されてくる用紙Ｐの突入方向に位置している。
【００５０】
図６（Ａ）に示すように、給紙カセット２４から給紙が開始されると、制御部３０によってナジャーローラ２８が回転駆動し、制御部３０によってソレノイド５６への通電が停止される。これにより、図５（Ｂ）に示すように、図示しないコイルばねにより、可動鉄心５６Ａが引き込まれ、支持板４８が長孔５０に沿って下方に移動して、支持板４８に支持されているピンチローラ４２が、駆動ローラ４０の軸４０Ａを中心に、駆動ローラ４０の外周に沿って、図の反時計回りに移動する。これにより、ピンチローラ４２と駆動ローラ４０のニップ部が、用紙搬送路３６側に位置する。つまり、用紙搬送路３６を搬送されてくる用紙Ｐの突入方向へ、ピンチローラ４２と駆動ローラ４０のニップ部が変更され、給紙カセット２４から給紙された用紙Ｐは、ピンチローラ４２と駆動ローラ４０のニップ部にまっすぐに突入する。
【００５１】
図６（Ｂ）に示すように、用紙Ｐがピンチローラ４２と駆動ローラ４０にニップされて用紙搬送路３８を下流側へ搬送されると、センサ６２によって用紙Ｐの先端が検知され、制御部３０によってソレノイド５６へ通電される。これにより、可動鉄心５６Ａが突出し、支持板４８が長孔５０に沿って上方へ移動して、支持板４８に支持されているピンチローラ４２が、駆動ローラ４０の軸４０Ａを中心に、駆動ローラ４０の外周に沿って図の時計回りに移動する。これにより、図５（Ａ）に示すように、ピンチローラ４２と駆動ローラ４０のニップ部が、用紙搬送路３８側へ位置する。つまり、用紙搬送路３８を搬送されてくる用紙Ｐの突入方向へ変更される。
【００５２】
なお、本実施形態では、ナジャーローラ２８が回転駆動すると、制御部３０によってソレノイド５６への通電が停止され、センサ６２によって用紙Ｐの先端が検知されると、制御部３０によってソレノイド５６に通電される構成としたが、ナジャーローラ２８が回転駆動してから所定時間経過してから、ソレノイド５６への通電を停止する構成としてもよく、また、センサ６２によって用紙Ｐの先端が検知されて所定時間経過してから、ソレノイド５６へ通電される構成としてもよい。
【００５３】
次に、本発明の第２の実施形態に係る給紙装置について説明する。なお、第１の実施形態と同様の部分についての説明は割愛する。
【００５４】
図７（Ａ）に示すように、フィードローラ３２の下流側には、センサ６４が設けられている。センサ６４は制御部３０に接続されており、センサ６４によって用紙搬送路３６を搬送される用紙Ｐの先端が検知されると、制御部３０によってソレノイド５６への通電が停止されるようになっている。
【００５５】
ここで、ピンチローラ４２を移動させるタイミングについて説明する。
【００５６】
図７（Ａ）に示すように、給紙カセット２４から給紙が開始され、センサ６４で用紙Ｐの先端が検知されると、制御部３０によってソレノイド５６への通電が停止される。このとき、図５（Ｂ）に示すように、図示しないコイルばねにより、可動鉄心５６Ａが引き込まれ、支持板４８が長孔５０に沿って下方に移動して、支持板４８に支持されているピンチローラ４２が、駆動ローラ４０の軸４０Ａを中心に、駆動ローラ４０の外周に沿って、図の反時計回りに移動する。これにより、ピンチローラ４２と駆動ローラ４０のニップ部が、用紙搬送路３６側に位置する。つまり、用紙搬送路３６を搬送されてくる用紙Ｐの突入方向へ変更されるので、給紙カセット２４から給紙された用紙Ｐは、ピンチローラ４２と駆動ローラ４０のニップ部に、まっすぐに突入する。
【００５７】
図７（Ｂ）に示すように、用紙Ｐがピンチローラ４２と駆動ローラ４０にニップされて用紙搬送路３８を下流側へ搬送されると、センサ６２によって用紙Ｐの先端が検知され、制御部３０によってソレノイド５６へ通電される。このとき、図５（Ａ）に示すように、可動鉄心５６Ａが突出し、支持板４８が長孔５０に沿って上方へ移動して、支持板４８に支持されているピンチローラ４２が、駆動ローラ４０の軸４０Ａを中心に、駆動ローラ４０の外周に沿って図の時計回りに移動する。これにより、ピンチローラ４２と駆動ローラ４０のニップ部が、用紙搬送路３８側へ位置する。つまり、用紙搬送路３８を搬送されてくる用紙Ｐの突入方向へ変更される。
【００５８】
なお、本実施形態では、駆動ローラ４０が画像形成装置本体１２に支持され、従動ローラ４２がカバー４６に支持される構成としたが、従動ローラ４２を画像形成装置本体１２に支持させ、駆動ローラ４０をカバー４６に支持させて、従動ローラ４２の軸４２Ａを中心に、駆動ローラ４０を従動ローラ４２の外周に沿って移動させることで、駆動ローラ４０と従動ローラ４２のニップ部の位置を変化させる構成としてもよい。
【００５９】
また、本実施形態では、給紙カセット２４が複数段設けられ、給紙カセット２４に対応して設けられた用紙搬送路３６と、各用紙搬送路３６間に設けられた用紙搬送路３８との合流部に、搬送ローラ対４４が設けられて構成された給紙装置２０について説明したが、例えば、手差しトレイに対応して設けられた用紙搬送路と、給紙カセット２４に対応して設けられた用紙搬送路との合流部に、搬送ローラ対が設けられて構成された給紙装置や、両面印字対応の画像形成装置において、表面に印字される際に用紙が搬送される用紙搬送路と、裏面に印字される際に用紙が搬送される用紙搬送路との合流部に、搬送ローラ対が設けられて構成された給紙装置においても、本発明を適用することができる。
【図面の簡単な説明】
【００６０】
【図１】本発明の第１の実施形態に係る給紙装置が搭載された画像形成装置の概略図である。
【図２】第１の実施形態に係る給紙装置の概略図である。
【図３】第１の実施形態に係る給紙装置が搭載された画像形成装置のカバーを開放した状態を示す部分斜視図である。
【図４】第１の実施形態に係る給紙装置のピンチローラの移動機構を示す斜視図である。
【図５】第１の実施形態に係る給紙装置の駆動ローラとピンチローラの位置関係を示す側面図である。
【図６】第１の実施形態に係る給紙装置の駆動ローラとピンチローラの位置関係を示す側面図である。
【図７】第２の実施形態に係る給紙装置の駆動ローラとピンチローラの位置関係を示す側面図である。
【符号の説明】
【００６１】
１０   画像形成装置
２０   給紙装置
２４   給紙カセット（カセット）
３６   用紙搬送路（第１シート搬送路）
３８   用紙搬送路（第２シート搬送路）
４０   駆動ローラ
４２   ピンチローラ（従動ローラ）
４４   搬送ローラ対（ローラ対）
４６   カバー（ローラ離間手段）
４８   支持板（ローラ移動手段）
５２   凸部（ローラ移動手段、支持部材）
５６   ソレノイド（ローラ移動手段）
６２   センサ
６４   センサ
【図１】
2008189457.tif 000003
【図２】
2008189457.tif 000004
【図３】
2008189457.tif 000005
【図４】
2008189457.tif 000006
【図５】
2008189457.tif 000007
【図６】
2008189457.tif 000008
【図７】
2008189457.tif 000009